(57)【要約】【課題】  磁場を形成する固定子と電磁気的に相互作用しながら回転運動をする回転子を備えた圧縮機において、回転子にマグネットを強固で容易に設置し、かつ、回転子コアと固定子間の距離を最小限にすることによって出力効率を全体的に向上させる。【解決手段】  回転子４０は、複数枚のラミネート４１'が上下方向に積層されてなるコア４１と、コア４１の外周面に備えられたマグネット４３とを備える。また、コア４１は、外周面にフック４２が一体に形成されるが、このフック４２は、各マグネット４３どうし間に配置されて、マグネット４３が外側に離脱するのを防止する。したがって、フック４２は、コア４１の外側に突き出て延在する突出部４２ａと、突出部４２ａの延長された端部から円周方向にそれぞれ延在する支持部４２ｂとを備えてなる。突出部４２ａを介してマグネット４３が相互に離隔状態を保つようにし、支持部４２ｂによって、マグネット４３が半径方向に離脱するのを防止する。【選択図】      図２
2006029321.tif 000002
【特許請求の範囲】
【請求項１】
回転軸と、磁場を形成する固定子と電磁気的に相互作用しながら前記回転軸と共に回転する回転子とを備えた圧縮機であって、
前記回転子は、
複数枚のラミネートが積層されてなるコアと、
該コアの外周面に円周方向に相互に離れて配置される複数個のマグネットと、
該マグネットの半径方向への離脱を防止するように、各マグネット間のコアに設けられるフックとを備えることを特徴とする圧縮機。
【請求項２】
前記フックは、前記コアと一体に形成されたことを特徴とする請求項１に記載の圧縮機。
【請求項３】
前記フックは、前記コアの外側に突き出て延在する突出部と、該突出部の延長された端部から円周方向にそれぞれ延設されて前記マグネットを前記コア側に支持する支持部とを備えることを特徴とする請求項１に記載の圧縮機。
【請求項４】
前記マグネットと前記フックが相互に結合されて円筒形状を有するように、前記マグネットの両端部には前記支持部と対応する結合溝が形成されたことを特徴とする請求項３に記載の圧縮機。
【請求項５】
前記回転子は、前記コア及び前記マグネットを軸方向に支持するように、前記コアの両端に設けられるエンドプレートをさらに備えることを特徴とする請求項１に記載の圧縮機。
【請求項６】
前記コア及び前記エンドプレートは、内部を貫通するリベットによって相互に固定されることを特徴とする請求項５に記載の圧縮機。
【請求項７】
複数枚のラミネートが積層されてなるコアと、
該コアの外周面に円周方向に沿って相互に離れて設けられた複数個のマグネットと、
該マグネットの半径方向への離脱を防止するように、各マグネット間のコアに設けられたフックとを備えることを特徴とする回転子。
【請求項８】
前記フックは、前記コアと一体に形成されたことを特徴とする請求項７に記載の回転子。
【請求項９】
前記フックは、前記コアの外側に突き出て延在する突出部と、該突出部の延長された端部から円周方向にそれぞれ延設されて前記マグネットを前記コア側に支持する支持部とを備えることを特徴とする請求項７に記載の回転子。
【請求項１０】
前記マグネットと前記フックが相互に結合されて円筒形状を有するように、前記マグネットの両端部には前記支持部と対応する結合溝が形成されたことを特徴とする請求項９に記載の回転子。
【請求項１１】
前記回転子は、前記コア及び前記マグネットを軸方向に支持するように、前記コアの両端に設けられるエンドプレートをさらに備えることを特徴とする請求項７に記載の回転子。
【請求項１２】
前記コア及び前記エンドプレートは、内部を貫通するリベットによって相互に固定されることを特徴とする請求項１１に記載の回転子。
【発明の詳細な説明】
【技術分野】
【０００１】
本発明は、圧縮機に関し、より詳細には、磁場を形成する固定子と電磁気的に相互作用しながら回転運動をする回転子を備えた圧縮機に関する。
【背景技術】
【０００２】
一般に、圧縮機は、密閉空間の内部に冷媒を吸入し圧縮した後に吐出す装置であり、冷媒を圧縮する圧縮装置と、これを駆動する駆動装置とで構成される。
【０００３】
圧縮装置は、密閉空間を形成する密閉容器の内部に設けられるものであり、圧縮室を形成するシリンダーブロックと、圧縮室の内部を往復運動するピストンとを備え、このシリンダーブロックの一側には、外部と連通する吸入室及び吐出室がそれぞれ形成されたシリンダーヘッドが結合される。
【０００４】
駆動装置は、磁場を形成する固定子と、固定子と電気的に相互作用して回転する回転子と、回転子の中空部に圧入固定されて回転子と共に回転する回転軸を備えるモーターと、回転軸に連結されて回転運動を直線運動に変換することによってピストンを進退させるコンロッドとを備える。
【０００５】
一方、回転子は、回転軸の外側に積層されてコアを形成する複数枚のラミネートと、これらラミネートの上端と下端をそれぞれ支持する一対のエンドプレートと、ラミネート外側に配置されるマグネットとを備えてなる。また、ラミネート及びエンドプレートを相互に固定すべく、このラミネート及びエンドプレートには締付部材が貫設され、マグネットの外側には、このマグネットを取り囲んで固定する円筒部材が配置される。
【０００６】
しかしながら、このように構成される従来の圧縮機は、別途の円筒部材を備えなければならないため、作業工程が複雑となり、コスト高となる問題点があった。
【０００７】
しかも、マグネットを固定するための円筒部材によって、磁束を形成する固定子とコア間の距離が遠ざかるため、モーターの出力効率が低下する問題点もあった。
【発明の開示】
【発明が解決しようとする課題】
【０００８】
本発明は、上記事情に鑑みて、回転子にマグネットを強固で容易に設置し、かつ、回転子コアと固定子間の距離を最小限にすることによって出力効率を全体的に向上させられる圧縮機を提供することを目的とする。
【課題を解決するための手段】
【０００９】
上記目的を達成すべく、本発明は、回転軸と、磁場を形成する固定子と電磁気的に相互作用しながら前記回転軸と共に回転する回転子とを備えた圧縮機であって、前記回転子は、複数枚のラミネートが積層されてなるコアと、該コアの外周面に円周方向に相互に離れて配置される複数個のマグネットと、該マグネットの半径方向への離脱を防止するように、各マグネット間のコアに設けられるフックとを備えることを特徴とする。
【００１０】
前記フックは、前記コアと一体に形成される。前記フックは、前記コアの外側に突き出て延在する突出部と、該突出部の延長された端部から円周方向にそれぞれ延設されて前記マグネットを前記コア側に支持する支持部とを備えることを特徴とする。
【００１１】
前記マグネットと前記フックが相互に結合されて円筒形状を有するように、前記マグネットの両端部には前記支持部と対応する結合溝が形成されたことを特徴とする。
【００１２】
前記回転子は、前記コア及び前記マグネットを軸方向に支持するように、前記コアの両端に設けられるエンドプレートをさらに備えることを特徴とする。
【００１３】
また、前記コア及び前記エンドプレートは、内部を貫通するリベットによって相互に固定されることを特徴とする。
【発明の効果】
【００１４】
本発明による圧縮機は、回転子コアの外周面に形成されたフックによってコアとマグネットとが相互に結合されるために、マグネットの外周面を取り囲んで固定する従来の円筒部材が省かれ、部品数を減らしかつ生産性を高めることが可能になる。
【００１５】
さらに、従来の円筒部材を省くことによって、固定子と回転子のコア間の距離を最小限にすることができ、圧縮機の駆動効率を全体的に向上することが可能になる。
【発明を実施するための最良の形態】
【００１６】
以下、本発明の好ましい実施形態について、添付図面を参照して詳細に説明する。
【００１７】
図１は、本発明による密閉型圧縮機の全体構造を示す断面図である。図１を参照すると、本発明による密閉型圧縮機は、密閉空間を形成する密閉容器１０の内部に設けられて冷媒を圧縮する圧縮装置２０と、圧縮装置２０を駆動する機能を担う駆動装置３０とを備えてなる。
【００１８】
圧縮装置２０は、圧縮室２１ａが形成されたシリンダーブロック２１と、圧縮室２１ａの内部を進退しながら冷媒を圧縮するピストン２２と、を備え、シリンダーブロック２１の一側には、外部と連通する吸入室２３ａ及び吐出室２３ｂがそれぞれ形成されたシリンダーヘッド２３が結合され、シリンダーブロック２１とシリンダーヘッド２３との間には、冷媒の出入を制御するバルブ装置２４が備えられる。
【００１９】
駆動装置３０は、圧縮装置２０で冷媒が圧縮されるようにピストン２２を進退させる機能を担うものであり、磁場を形成する固定子３１と、固定子３１の内部にこの固定子３１と離隔設置されて固定子３１と電磁気的に相互作用する回転子４０と、回転子４０の中心に圧入されて回転子４０と共に回転する回転軸３２と、回転軸３２に連結されて回転運動を直線運動に変換することによってピストン２２を進退させるコンロッド３３とを備えて構成される。
【００２０】
次に、本発明による回転子４０を、図面に基づいて詳細に説明する。
【００２１】
図２及び図３を参照すると、本発明による回転子４０は、複数枚のラミネート４１'が上下方向に積層されてなるコア４１と、コア４１の外周面に設けられたマグネット４３とを備える。
【００２２】
マグネット４３は、複数枚からなり、相異なる極が隣り合うように交互に配置されるとともに、マグネット４３どうしの磁気的干渉を避けるべく、円周方向に沿って相互に離れて配置される。
【００２３】
そして、コア４１の上側と下側には、上部エンドプレート４４及び下部エンドプレート４５がそれぞれ設けられてコア４１及びマグネット４３を軸方向に支持し、各ラミネート４１'とエンドプレート４４，４５は、内部を貫通するリベット４６によって相互に固定される。
【００２４】
また、コア４１は、外周面にフック４２が一体に形成されるが、このフック４２は、各マグネット４３の間に設けられてマグネット４３が外側に離脱するのを防止する。
【００２５】
したがって、フック４２は、図４に示すように、コア４１の外側に突き出て延在する突出部４２ａと、突出部４２ａの延長された端部から円周方向にそれぞれ延設された支持部４２ｂとからなり、突出部４２ａを介してマグネット４３が相互に離れた状態を保つようにし、支持部４２ｂによって、マグネット４３が半径方向に離脱するのを防止する。
【００２６】
一方、図５を参照すると、マグネット４３の両端部には、支持部４２ｂと対応する結合溝４３ａが形成されるが、この結合溝４３ａによって、マグネット４３どうし間の離隔空間ｓはフック４２と対応する形態を有することになり、したがって、マグネット４３とフック４２とが結合されて円筒形状をなす。
【００２７】
続いて、本発明による密閉型圧縮機の回転子４０の組立過程及びその効果について説明する。
【００２８】
まず、上部エンドプレート４４及びラミネート４１'にリベット４６を順次に挿通させ、ラミネート４１'が積層されてなるコア４１の外周面に、マグネット４３を配設する。このときに、マグネット４３は、コア４１の外周面とフック４２との間に結合させかつ円周方向に異なる極が隣り合うように交互に配置する。
【００２９】
続いて、下部エンドプレート４５をリベット４６に設置した後に、リベット４６の下端をコーキングすると、マグネット４３はコア４２に強固に固定される。
【００３０】
このように、本発明による圧縮機の回転子４０は、マグネット４３がエンドプレート４４，４５及びフック４２によってコア４１に固定されるため、従来の圧縮機のようにマグネット４３の外周面を取り囲んで固定する円筒部材を別途備える必要がない。
【００３１】
この結果、磁束を形成する固定子３１と回転子４０のコア４１間の距離を最小限にすることができ、圧縮機の駆動効率が向上する効果が得られる。
【図面の簡単な説明】
【００３２】
【図１】本発明による圧縮機の全体構造を示す断面図である。
【図２】本発明による圧縮機に備えられた回転子を示す分解斜視図である。
【図３】図２の“Ａ−Ａ”線断面図である。
【図４】図２からコアを抜粋して示す平面図である。
【図５】図２からマグネットを抜粋して示す平面図である。
【符号の説明】
【００３３】
１０    密閉容器
２０    圧縮装置
３０    駆動装置
３１    固定子
３２    回転軸
４０    回転子
４１’  ラミネート
４１    コア
４２    フック
４２ａ  突出部
４２ｂ  支持部
４３    マグネット
４３ａ  結合溝
４４，４５  エンドプレート
４６    リベット
【図１】
2006029321.tif 000003
【図２】
2006029321.tif 000004
【図３】
2006029321.tif 000005
【図４】
2006029321.tif 000006
【図５】
2006029321.tif 000007